(57)【要約】【課題】炊飯器本体の上面開口部を開閉自在に覆う蓋体を閉状態に保持しかつ開放するフックレバーにおいて、フックレバーの炊飯器本体への組立ておよび外すときの作業性を向上するとともに、フックレバーまたは炊飯器本体の表面が傷つくのを防止し、品質を向上する。【解決手段】フックレバー本体１内に位置決め板３を設け、この位置決め板３とフックレバー本体１の側壁１７との間にチャンバー４を形成し、このチャンバー４内に弾性体５を設け、この弾性体５の外端面にフックレバー本体１の側壁１７を貫通する可動軸６を設け、弾性体５の内端面を位置決め板３に当接するよう構成する。【選択図】図１
2008113985.tif 000002
【特許請求の範囲】
【請求項１】
フックレバー本体内に位置決め板を設け、この位置決め板と前記フックレバー本体の側壁との間にチャンバーを形成し、このチャンバー内に弾性体を設け、この弾性体の外端面に前記フックレバー本体の側壁を貫通する可動軸を設け、前記弾性体の内端面を前記位置決め板に当接するよう構成した炊飯器のフックレバー。
【請求項２】
弾性体の外端面に可動軸と同側に位置する位置決め軸を設け、フックレバー本体の側壁に前記位置決め軸が挿入可能に位置決め穴を設け、前記位置決め穴は貫通穴または非貫通穴とした請求項１記載の炊飯器のフックレバー。
【請求項３】
フックレバー本体内に２個の位置決め板を平行に設け、これら２個の位置決め板とフックレバー本体の両側の側壁との間にそれぞれ左右対称にチャンバーを形成し、これらチャンバー内にフックレバー本体の側壁を貫通する可動軸を有する弾性体を設けた請求項１または２記載の炊飯器のフックレバー。
【請求項４】
弾性体は、略Ｕ字状に形成した請求項１〜３のいずれか１項に記載の炊飯器のフックレバー。
【請求項５】
位置決め板は、フックレバー本体の側壁に略平行に設け、最上端に弾性体の内端の脱出を防止するための係止部を有し、弾性体の内端に近い上面に突起部を有する請求項１〜４のいずれか１項に記載の炊飯器のフックレバー。
【請求項６】
チャンバー内に位置決め板に略垂直に位置制限板を設け、この位置制限板の上部に段差部を設け、弾性体の内端面に段差部と対応する切欠部を形成した請求項１〜５のいずれか１項に記載の炊飯器のフックレバー。
【発明の詳細な説明】
【技術分野】
【０００１】
本発明は、炊飯器本体の上面開口部を開閉自在に覆う蓋体を閉状態に保持しかつ開放するフックレバーに関するものである。
【背景技術】
【０００２】
従来、この種の炊飯器のフックレバーは、鍋を着脱自在に収納した炊飯器本体の前部に設け、炊飯器本体の上面開口部を開閉自在に覆う蓋体に設けたフック部を係止して蓋体を閉状態に保持し、かつフック部との係止を外すことで蓋体を開放するよう構成している（例えば、特許文献１参照）。
【０００３】
このようなフックレバーは、図６に示すように、フックレバー本体３１の両側壁３２、３３に一体にそれぞれ軸３４、３５を固着し、この軸３４、３５により炊飯器本体と連結されている。
【特許文献１】特開２００４−２８３３２３号公報
【発明の開示】
【発明が解決しようとする課題】
【０００４】
しかしながらこのような従来の構成では、軸３４、３５はフックレバー本体３１の側壁３２、３３に固定されており、炊飯器本体に取り付けるとき、完全に部材の変形によって炊飯器本体に設置された対応する軸支穴に差し込まれるので、組立ておよび外す作業は非常に難しい。さらに、ツールなど（主にマイナスドライバー）を使う際に、フックレバーまたは炊飯器本体の外面をツールで傷つけやすくなり、品質問題が発生しやすいという問題を有していた。
【０００５】
本発明は上記従来の課題を解決するもので、フックレバーの炊飯器本体への組立ておよび外すときの作業性を向上するとともに、フックレバーまたは炊飯器本体の表面が傷つくのを防止し、品質を向上することを目的としている。
【課題を解決するための手段】
【０００６】
本発明は上記目的を達成するために、フックレバー本体内に位置決め板を設け、この位置決め板とフックレバー本体の側壁との間にチャンバーを形成し、このチャンバー内に弾性体を設け、この弾性体の外端面にフックレバー本体の側壁を貫通する可動軸を設け、弾性体の内端面を位置決め板に当接するよう構成したものである。
【０００７】
これにより、フックレバーの炊飯器本体への組立ておよび外すときの作業性を向上することができるとともに、フックレバーまたは炊飯器本体の表面が傷つくのを防止することができ、品質を向上することができる。
【発明の効果】
【０００８】
本発明の炊飯器のフックレバーは、フックレバーの炊飯器本体への組立ておよび外すときの作業性を向上することができるとともに、フックレバーまたは炊飯器本体の表面が傷つくのを防止することができ、品質を向上することができる。
【発明を実施するための最良の形態】
【０００９】
第１の発明は、フックレバー本体内に位置決め板を設け、この位置決め板と前記フックレバー本体の側壁との間にチャンバーを形成し、このチャンバー内に弾性体を設け、この弾性体の外端面に前記フックレバー本体の側壁を貫通する可動軸を設け、前記弾性体の内端面を前記位置決め板に当接するよう構成したものであり、チャンバーは弾性体に対して伸縮・変形の空間を提供しており、可動軸は弾性体の変形により左右へ移動できるため、フックレバーを炊飯器本体に楽に取り付け、または炊飯器本体から外すことができて、作業性を向上することができ、また、フックレバーを炊飯器本体から外すとき、マイナスドライバーでチャンバー内の弾性体を上へ小さい力を与えるだけで、フックレバーを外すことができ、作業は非常に便利・簡単になり、フックレバーまたは炊飯器本体の表面が傷つくのを防止することができ、品質を向上することができる。
【００１０】
第２の発明は、上記第１の発明において、弾性体の外端面に可動軸と同側に位置する位置決め軸を設け、フックレバー本体の側壁に前記位置決め軸が挿入可能に位置決め穴を設け、前記位置決め穴は貫通穴または非貫通穴としたものであり、位置決め軸をフックレバー本体の側壁に挿入することで、弾性体の回転を防止することができる。
【００１１】
第３の発明は、上記第１または第２の発明において、フックレバー本体内に２個の位置決め板を平行に設け、これら２個の位置決め板とフックレバー本体の両側の側壁との間にそれぞれ左右対称にチャンバーを形成し、これらチャンバー内にフックレバー本体の側壁を貫通する可動軸を有する弾性体を設けたものであり、フックレバー本体の両側に、ともに左右へ移動可能な可動軸を設けることができ、柔軟性をさらに向上させることができて、フックレバーの炊飯器本体への組立ておよび外すときの作業性を一層向上することができるとともに、フックレバーまたは炊飯器本体の表面が傷つくのを防止することができ、品質を向上することができる。
【００１２】
第４の発明は、上記第１〜３のいずれか１つの発明において、弾性体は、略Ｕ字状に形成したものであり、このような構造は弾性的な作用を果たしているので、変形の量をさらに大きくすることができ、取付け・外す作業をさらに容易にすることができる。
【００１３】
第５の発明は、上記第１〜４のいずれか１つの発明において、位置決め板は、フックレバー本体の側壁に略平行に設け、最上端に弾性体の内端の脱出を防止するための係止部を有し、弾性体の内端に近い上面に突起部を有するものであり、マイナスドライバーを使って突起部に力を加えると、弾性体を変形させることができ、弾性体をチャンバー内から取り出すことができる。
【００１４】
第６の発明は、上記第１〜５のいずれか１つの発明において、チャンバー内に位置決め板に略垂直に位置制限板を設け、この位置制限板の上部に段差部を設け、弾性体の内端面に段差部と対応する切欠部を形成したものであり、弾性体の内端部が段差部の上に支持され、位置制限板により弾性体の内端の位置を制限することができる。
【００１５】
以下、本発明の実施の形態について、図面を参照しながら説明する。なお、この実施の形態によって本発明が限定されるものではない。
【００１６】
（実施の形態１）
図１に示すように、フックレバー本体１は、鍋（図示せず）を着脱自在に収納した炊飯器本体（図示せず）の前部に設け、炊飯器本体の上面開口部を開閉自在に覆う蓋体（図示せず）を係止して閉状態に保持し、かつ係止を外して開放するよう構成したもので、このフックレバー本体１の一方の側壁１６の端面に垂直に軸２を固着している。フックレバー本体１内に、側壁１６、１７と略平行する位置決め板３を設け、この位置決め板３とフックレバー本体１の側壁１７との間にチャンバー４を形成している。チャンバー４内に、変形性および弾性のよい樹脂材料からなる弾性体５を設けている。弾性体５の外端面に側壁１７を貫通する可動軸６を設け、可動軸６に対応する側壁１７に、図３に示すように、軸穴７を形成している。可動軸６を軸穴７に挿入した状態で、弾性体５の内端面を位置決め板３に当接するよう構成している。
【００１７】
さらに、図４に示すように、弾性体５の外端面に可動軸６と同じ側に位置する位置決め軸８を設け、側壁１７に位置決め軸８が挿入可能に位置決め穴９を設けている。この位置決め穴９は貫通穴または非貫通穴としている。
【００１８】
位置決め板３の最上端に係止部１０を設け、弾性体５の内端面が位置決め板３に当接した状態で、弾性体５の内端が脱出するのを防止している。弾性体５は、内端に近い上面に突起部１１を設け、中間部が下へ凹み、略Ｕ字状に形成している。
【００１９】
チャンバー４内に、位置決め板３に略垂直に位置制限板１２を設け、この位置制限板１２の上部に段差部１３が設けている。弾性体５の内端面に、段差部１３と対応する切欠部１４を形成している。これにより、弾性体５の内端部は段差部１３により支持される。また、フックレバー本体１に設けた補強板１５を位置制限板として利用することによって、弾性体３の内端を位置制限板と補強板１５との間に規制することができる。
【００２０】
上記構成において、炊飯器本体に組立てのとき、まず、軸２を炊飯器本体の一方の軸支穴（図示せず）に挿入した状態で、図２の矢印の方向に、弾性体５をフックレバー本体１のチャンバー４内に移動させ、位置決め軸８を位置決め穴９の中に插入し、そして可動軸６を軸穴７内に插入して可動軸６を炊飯器本体の他方の軸支穴（図示せず）に挿入し、弾性体５の内端を位置決め板３の係止部１０の下面に当接して軸支する。これにより、フックレバーを炊飯器本体に楽に取り付けることができる。
【００２１】
つぎに、炊飯器本体からフックレバーを外す際には、マイナスドライバーでチャンバー４内にある弾性体５を上へ小さな力を加わるだけで、弾性体５を変形させ、フックレバーを外すことができ、作業は非常に便利、簡単になる。
【００２２】
以上のように、本実施の形態においては、フックレバー本体１内に位置決め板３を設け、この位置決め板３とフックレバー本体１の側壁１７との間にチャンバー４を形成し、このチャンバー４内に弾性体５を設け、この弾性体５の外端面にフックレバー本体１の側壁１７を貫通する可動軸６を設け、弾性体５の内端面を位置決め板３に当接するよう構成したので、可動軸６は弾性体５の変形により左右へ移動できるため、フックレバーを炊飯器本体に楽に取り付け、または炊飯器本体から外すことができて、作業性を向上することができ、また、フックレバーを炊飯器本体から外すとき、マイナスドライバーでチャンバー４内の弾性体５を上へ小さい力を与えるだけで、フックレバーを外すことができ、作業は非常に便利・簡単になり、フックレバーまたは炊飯器本体の表面が傷つくのを防止することができ、品質を向上することができる。
【００２３】
また、弾性体５の外端面に可動軸６と同側に位置する位置決め軸８を設け、フックレバー本体１の側壁１７に位置決め軸８が挿入可能に位置決め穴９を設け、位置決め穴９は貫通穴または非貫通穴としたので、位置決め軸８をフックレバー本体１の側壁１７に挿入することで、弾性体５の回転を防止することができる。
【００２４】
また、弾性体５は、略Ｕ字状に形成したので、変形の量を大きくすることができ、取付け・外す作業をさらに容易にすることができる。
【００２５】
また、位置決め板３は、フックレバー本体１の側壁１６に略平行に設け、最上端に弾性体５の内端の脱出を防止するための係止部１０を有し、弾性体５の内端に近い上面に突起部１１を有するので、マイナスドライバーを使って突起部１１に力を加えると、弾性体５を変形させることができ、弾性体５をチャンバー４内から取り出すことができる。
【００２６】
また、チャンバー４内に位置決め板３に略垂直に位置制限板１２を設け、この位置制限板１２の上部に段差部１３を設け、弾性体５の内端面に段差部１３と対応する切欠部１４を形成したので、弾性体５の内端部が段差部１３の上に支持され、位置制限板１２により弾性体５の内端の位置を制限することができる。
【００２７】
（実施の形態２）
図５に示すように、フックレバー本体１８は、鍋（図示せず）を着脱自在に収納した炊飯器本体（図示せず）の前部に設け、炊飯器本体の上面開口部を開閉自在に覆う蓋体（図示せず）を係止して閉状態に保持し、かつ係止を外して開放するよう構成したもので、このフックレバー本体１８内に、側壁１９、２０と略平行する２個の位置決め板２１、２２を平行に設け、これら位置決め板２１、２２とフックレバー本体１８の側壁１９、２０との間にそれぞれチャンバー２３、２４を左右対称に形成している。チャンバー２３、２４内に、変形性および弾性のよい樹脂材料からなる弾性体２５、２６を設けている。弾性体２５、２６の外端面に側壁１９、２０をそれぞれ貫通する可動軸２７、２８を設け、可動軸２７、２８に対応する側壁１９、２０にそれぞれ軸穴２９、３０を形成している。可動軸２７、２８を軸穴２９、３０に挿入した状態で、弾性体２５、２６の内端面を位置決め板２１、２２に当接するよう構成している。他の構成は上記実施の形態１と同じである。
【００２８】
上記構成において、炊飯器本体に組立てのとき、または、炊飯器本体からフックレバーを外す際には、上記実施の形態と同様に、組み立て、取り外しができる上、フックレバー本体１８の両側に、ともに左右へ移動可能な可動軸２７、２８を設けることで、フックレバーの炊飯器本体への組立ておよび外すときの作業性を一層向上することができる。
【００２９】
以上のように、本実施の形態においては、フックレバー本体１８内に２個の位置決め板２１、２２を平行に設け、これら２個の位置決め板２１、２２とフックレバー本体１８の両側の側壁１９、２０との間にそれぞれ左右対称にチャンバー２３、２４を形成し、これらチャンバー２３、２４内にフックレバー本体１８の側壁１９、２０を貫通する可動軸２７、２８を有する弾性体２５、２６を設けたので、フックレバー本体１８の両側に、ともに左右へ移動可能な可動軸２７、２８を設けることができ、柔軟性をさらに向上させることができて、フックレバーの炊飯器本体への組立ておよび外すときの作業性を一層向上することができるとともに、フックレバーまたは炊飯器本体の表面が傷つくのを防止することができ、品質を向上することができる。
【産業上の利用可能性】
【００３０】
以上のように、本発明にかかる炊飯器のフックレバーは、フックレバーの炊飯器本体への組立ておよび外すときの作業性を向上することができるとともに、フックレバーまたは炊飯器本体の表面が傷つくのを防止することができ、品質を向上することができるので、炊飯器本体の上面開口部を開閉自在に覆う蓋体を閉状態に保持しかつ開放するフックレバーとして有用である。
【図面の簡単な説明】
【００３１】
【図１】本発明の実施の形態１における炊飯器のフックレバーの一部切欠した側面図
【図２】同炊飯器のフックレバーの弾性体をチャンバー内に取付けるときの断面図
【図３】同炊飯器のフックレバーのフックレバー本体の斜視図
【図４】同炊飯器のフックレバーの弾性体の斜視図
【図５】本発明の実施の形態２における炊飯器のフックレバーの断面図
【図６】従来の炊飯器のフックレバーのフックレバー本体の斜視図
【符号の説明】
【００３２】
１  フックレバー本体
３  位置決め板
４  チャンバー
５  弾性体
６  可動軸
１７  側壁
【図１】
2008113985.tif 000003
【図２】
2008113985.tif 000004
【図３】
2008113985.tif 000005
【図４】
2008113985.tif 000006
【図５】
2008113985.tif 000007
【図６】
2008113985.tif 000008